【手続補正書】
【提出日】平成18年3月20日(2006.3.20)
【手続補正１】
【補正対象書類名】明細書
【補正対象項目名】発明の名称
【補正方法】変更
【補正の内容】
【発明の名称】記録又は再生装置
【手続補正２】
【補正対象書類名】明細書
【補正対象項目名】特許請求の範囲
【補正方法】変更
【補正の内容】
【特許請求の範囲】
【請求項１】  カセットシェル内にテープ状記録媒体を収納して成る記録媒体カセットに対する記録及び／又は再生を行う記録又は再生装置であって、
回転ヘッドドラムを備えテープ状記録媒体に対する記録及び／又は再生を行う記録再生機構部と、
記録媒体カセットを保持して上記記録再生機構部に接近しテープ状記録媒体に対する記録及び／又は再生を行う記録再生位置と記録再生機構部から離間した待機位置との間を移動するカセット保持部材と、
互いに同期して移動されテープ状記録媒体をカセットシェルから引き出して上記回転ヘッドドラムに巻き付ける２個一対のテープ引出ガイドと、
先端部に上記テープ引出ガイドが各別に連結され回動動作によりテープ引出ガイドを移動させる２個一対の駆動アームと、
上記記録再生機構部に互いに離間して回転自在に且つ上記駆動アームの基端部に設けられ回転動作により駆動アームを回動させる２個一対の同期ギヤと、
上記カセット保持部材に設けられ上記同期ギヤと各別に噛合された２個一対のラックとを備え、
カセット保持部材が記録媒体カセットを保持して待機位置から記録再生位置へと移動する間に上記ラックが同期ギヤを回転させることによって駆動アームを回動させてテープ引出ガイドを移動させ、該テープ引出ガイドがテープ状記録媒体をカセットシェルから引き出して上記回転ヘッドドラムに巻き付ける
ことを特徴とする記録又は再生装置。
【手続補正３】
【補正対象書類名】明細書
【補正対象項目名】０００１
【補正方法】変更
【補正の内容】
【０００１】
【発明の属する技術分野】
本発明は新規な記録又は再生装置に関する。詳しくは、テープ状記録媒体をカセットシェル内に収納して成る記録媒体カセットを保持して記録再生機構部に接近しテープ状記録媒体に対する記録及び／又は再生を行う記録再生位置と記録再生機構部から離間した待機位置との間を移動するカセット保持部材を備えた記録又は再生装置にあって、機構の簡単化と小型化を図る技術に関する。
【手続補正４】
【補正対象書類名】明細書
【補正対象項目名】００１３
【補正方法】変更
【補正の内容】
【００１３】
【課題を解決するための手段】
本発明記録又は再生装置は、上記した課題を解決するために、回転ヘッドドラムを備えテープ状記録媒体に対する記録及び／又は再生を行う記録再生機構部と、記録媒体カセットを保持して上記記録再生機構部に接近しテープ状記録媒体に対する記録及び／又は再生を行う記録再生位置と記録再生機構部から離間した待機位置との間を移動するカセット保持部材と、互いに同期して移動されテープ状記録媒体をカセットシェルから引き出して上記回転ヘッドドラムに巻き付ける２個一対のテープ引出ガイドと、先端部に上記テープ引出ガイドが各別に連結され回動動作によりテープ引出ガイドを移動させる２個一対の駆動アームと、上記記録再生機構部に互いに離間して回転自在に且つ上記駆動アームの基端部に設けられ回転動作により駆動アームを回動させる２個一対の同期ギヤと、上記カセット保持部材に設けられ上記同期ギヤと各別に噛合された２個一対のラックとを備え、カセット保持部材が記録媒体カセットを保持して待機位置から記録再生位置へと移動する間に上記ラックが同期ギヤを回転させることによって駆動アームを回動させてテープ引出ガイドを移動させ、該テープ引出ガイドがテープ状記録媒体をカセットシェルから引き出して上記回転ヘッドドラムに巻き付けるようにしたものである。
【手続補正５】
【補正対象書類名】明細書
【補正対象項目名】００１４
【補正方法】変更
【補正の内容】
【００１４】
従って、本発明記録又は再生装置にあっては、従来必要であったリニアスケートアームやテープガイドスライダーが必要でなく、部品点数が減少し機構が簡単になると共に低価格で製造することができる。また、テープ引出ガイドを移動させるための駆動アームの回動支点となる基端部を互いに離間して配置することができるので、設計上の自由度が増大し、装置の小型化が可能になる。
【手続補正６】
【補正対象書類名】明細書
【補正対象項目名】００１５
【補正方法】変更
【補正の内容】
【００１５】
【発明の実施の形態】
以下に、本発明記録又は再生装置の実施の形態を添付図面を参照して詳細に説明する。なお、添付図面に示した記録又は再生装置は、記録媒体として磁気テープをカセットシェル内に収納して成るテープカセットを使用して磁気テープに対する記録及び再生を行うものである。
【手続補正７】
【補正対象書類名】明細書
【補正対象項目名】００１６
【補正方法】変更
【補正の内容】
【００１６】
先ず、本発明に係る記録又は再生装置において使用するテープカセットについて説明する。
【手続補正８】
【補正対象書類名】明細書
【補正対象項目名】００５４
【補正方法】変更
【補正の内容】
【００５４】
【発明の効果】
以上に記載したところから明らかなように、本発明記録又は再生装置は、カセットシェル内にテープ状記録媒体を収納して成る記録媒体カセットに対する記録及び／又は再生を行う記録又は再生装置であって、回転ヘッドドラムを備えテープ状記録媒体に対する記録及び／又は再生を行う記録再生機構部と、記録媒体カセットを保持して上記記録再生機構部に接近しテープ状記録媒体に対する記録及び／又は再生を行う記録再生位置と記録再生機構部から離間した待機位置との間を移動するカセット保持部材と、互いに同期して移動されテープ状記録媒体をカセットシェルから引き出して上記回転ヘッドドラムに巻き付ける２個一対のテープ引出ガイドと、先端部に上記テープ引出ガイドが各別に連結され回動動作によりテープ引出ガイドを移動させる２個一対の駆動アームと、上記記録再生機構部に互いに離間して回転自在に且つ上記駆動アームの基端部に設けられ回転動作により駆動アームを回動させる２個一対の同期ギヤと、上記カセット保持部材に設けられ上記同期ギヤと各別に噛合された２個一対のラックとを備え、カセット保持部材が記録媒体カセットを保持して待機位置から記録再生位置へと移動する間に上記ラックが同期ギヤを回転させることによって駆動アームを回動させてテープ引出ガイドを移動させ、該テープ引出ガイドがテープ状記録媒体をカセットシェルから引き出して上記回転ヘッドドラムに巻き付けることを特徴とする。
【手続補正９】
【補正対象書類名】明細書
【補正対象項目名】００５５
【補正方法】変更
【補正の内容】
【００５５】
従って、本発明記録又は再生装置にあっては、従来必要であったリニアスケートアームやテープガイドスライダーが必要でなく、部品点数が減少し機構が簡単になると共に低価格で製造することができる。また、テープ引出ガイドを移動させるための駆動アームの回動支点となる基端部を互いに離間して配置することができるので、設計上の自由度が増大し、装置の小型化が可能になる。
【手続補正１０】
【補正対象書類名】明細書
【補正対象項目名】図面の簡単な説明
【補正方法】変更
【補正の内容】
【図面の簡単な説明】
【図１】
図２及び図３と共に本発明記録又は再生装置で使用するテープカセットの一例を示すものであり、本図は斜視図である。
【図２】
フロントリッド及びバックリッドが開蓋位置にある状態を示す斜視図である。
【図３】
図２の状態を下面側から見た斜視図である。
【図４】
図５乃至図１２と共に本発明記録又は再生装置の実施の形態を示すものであり、本図はカセットホルダーがイジェクト位置にある状態を示す概略斜視図である。
【図５】
カセットホルダーが下降位置にありカセット保持部材が待機位置にある状態を示す概略斜視図である。
【図６】
カセット保持部材が記録再生位置にある状態を示す概略斜視図である。
【図７】
回転ヘッドドラム及びテープ引出ガイド並びにその周辺の部材を示す拡大斜視図である。
【図８】
スライドシャーシの平面図である。
【図９】
イジェクト位置にあるかセットホルダーにテープカセットを挿入した状態を示す概略斜視図である。
【図１０】
カセット保持部材が待機位置にある状態を示す概略平面図である。
【図１１】
カセット保持部材が待機位置と記録再生位置との間の中間の位置にある状態を示す概略平面図である。
【図１２】
カセット保持部材が記録再生位置にある状態を示す概略平面図である。
【図１３】
図１４と共に従来の記録再生装置の一例を示すものであり、本図は概略平面図である。
【図１４】
要部の平面図である。
【符号の説明】
１０…テープカセット（記録媒体カセット）、２０…カセットシェル、３０…磁気テープ（テープ状記録媒体）、１００…記録再生装置（記録又は再生装置）、１５０…回転ヘッドドラム、１６０…テープ引出ガイド、１７０…記録再生機構部、１９０…駆動アーム、２００…同期ギヤ、２５０…カセット保持部材、２６０…ラック